(57)【要約】【課題】  十分な支持強度を有し、容易に仕切りパネルのレイアウトを変更することができるようにした仕切りパネルの支持構造を提供する。【解決手段】  横杆２と、横杆２の長手方向に立設され、かつ仕切りパネル５の下縁部５ａを挟み込む１対の唇状片３、３とからなる仕切りパネル支持材４の両端を、上下方向に延びる脚杆７、７にそれぞれ連結し、脚杆７、７を、仕切りパネル５を設置する支持ユニット１０上において水平方向に複数個穿設された上下方向の嵌合孔１５にそれぞれ嵌着する。【選択図】図１
2005076316.tif 000002
【特許請求の範囲】
【請求項１】
横杆と、この横杆の長手方向に立設され、かつ仕切りパネルの下縁部を挟み込む１対の唇状片とからなる仕切りパネル支持材の両端を、上下方向に延びる脚杆にそれぞれ連結し、これらの脚杆を、前記仕切りパネルを設置する支持ユニット上において水平方向に複数個穿設された上下方向の嵌合孔にそれぞれ嵌着したことを特徴とする仕切りパネルの支持構造。
【請求項２】
脚杆の上端に、１対の唇状片の各端部と、この唇状片の各端部に挟み込まれている仕切りパネルの縁部とをともに挟持して固定するクランプ材を設けた請求項１記載の仕切りパネルの支持構造。
【請求項３】
横杆の両端部に凹部を設け、両クランプ材における前記凹部と対向する部分に、この凹部に嵌合される凸部を設けた請求項２記載の仕切りパネルの支持構造。
【請求項４】
嵌合孔に嵌着される脚杆の中間部に鍔部材を設け、この鍔部材が嵌合孔の周縁部に当接するようにした請求項１〜３のいずれかに記載の仕切りパネルの支持構造。
【請求項５】
嵌合孔に嵌着される脚杆の外周面に、複数の係合孔を、上下方向に所要の間隔をもって穿設するとともに、互いに向き合わせて合体させることにより、上端部に拡径フランジを備える上下方向を向くスリーブを形成するようにした１対のほぼ半円筒状のスリーブ分割片により、前記脚杆を両側方より挟み、少なくともいずれか一方のスリーブ分割片の内周面に、前記複数の係合孔に選択的に係合しうる突部を設け、この突部を所望の係合孔に嵌合させて、両スリーブ分割片を前記脚杆の外周において合体させてスリーブを形成し、このスリーブに、鍔部材をなす筒体の上端部を前記拡径フランジと係合させて外嵌し、前記筒体の下部に設けた縮径段部を、嵌合孔に嵌合した請求項４記載の仕切りパネルの支持構造。
【発明の詳細な説明】
【技術分野】
【０００１】
本発明は、オフィス空間等で用いられ、レイアウトを適宜変更することができるようにした仕切りパネルの支持構造に関する。
【背景技術】
【０００２】
対面する方向または側面方向を仕切るパネルのレイアウトを適宜変更できるようにした、仕切りパネルの支持構造としては、対面する方向を仕切るパネルの場合には、水平方向に支持した取付枠のスリットにパネルを差込んで保持したものがある（特許文献１および２参照）。
【０００３】
また、側面方向を仕切るパネル場合には、まず対面する方向を仕切るパネルを固設して、この固設したパネルの上縁部にレールを設け、側面側を仕切るパネルにこのレールを摺動する手段を付設して、固設したパネルに対して摺動可能としたものがある（特許文献３参照）。
【特許文献１】特開平１０−２６２７４４号公報（図６、図１７他）
【特許文献２】特開平１０−２７１６４９号公報（図６、図７、図２３他）
【特許文献３】特開２００２−５４２５８号公報
【発明の開示】
【発明が解決しようとする課題】
【０００４】
しかし、上記特許文献１または２に記載されている構造は、仕切りパネルがスリットへの差込みのみによって支持されているため、支持が不安定である。このため、スリットの長手方向に不意に移動することがあり、これを防ぐために、スリットの幅を、パネルをきつく支持するように設定すれば、逆にレイアウトを変更するのに支障をきたす。また、上記特許文献３の構造の場合も、側面方向を仕切って摺動するパネルは、その摺動手段によって固設パネルに支持されているだけであるため、やはり支持強度が十分ではない。
【０００５】
本発明は、上記事情に鑑みてなされたもので、十分な支持強度を有し、かつ水平方向、所望により垂直方向にも容易に仕切りパネルのレイアウトを変更することができるようにした仕切りパネルの支持構造を提供することを目的としている。
【課題を解決するための手段】
【０００６】
本発明によれば、上記課題は次のようにして解決される。
(１)横杆と、この横杆の長手方向に立設され、かつ仕切りパネルの下縁部を挟み込む１対の唇状片とからなる仕切りパネル支持材、およびこの仕切りパネル支持材の両端にそれぞれ連結される上下方向に延びる脚杆を備えた仕切りパネルの支持構造であって、脚杆を、前記仕切りパネルを設置する支持ユニット上において水平方向に複数個穿設された上下方向の嵌合孔にそれぞれ嵌着する。
【０００７】
(２)上記(１)項において、脚杆の上端に、１対の唇状片の各端部と、この唇状片の各端部に挟み込まれている仕切りパネルの縁部とをともに挟持して固定するクランプ材を設ける。
【０００８】
(３)上記(２)項において、横杆の両端部に凹部を設け、両クランプ材における前記凹部と対向する部分に、この凹部に嵌合される凸部を設ける。
【０００９】
(４)上記(１)〜(３)項のいずれかにおいて、嵌合孔に嵌着される脚杆の中間部に鍔部材を設け、この鍔部材を嵌合孔の周縁部に当接させる。
【００１０】
(５)上記(４)項において、嵌合孔に嵌着される脚杆の外周面に、複数の係合孔を、上下方向に所要の間隔をもって穿設するとともに、互いに向き合わせて合体させることにより、上端部に拡径フランジを備える上下方向を向くスリーブを形成するようにした１対のほぼ半円筒状のスリーブ分割片により、前記脚杆を両側方より挟み、少なくともいずれか一方のスリーブ分割片の内周面に、前記複数の係合孔に選択的に係合しうる突部を設け、この突部を所望の係合孔に嵌合させて、両スリーブ分割片を前記脚杆の外周において合体させてスリーブを形成し、このスリーブに、鍔部材をなす筒体の上端部を前記拡径フランジと係合させて外嵌し、前記筒体の下部に設けた縮径段部を、嵌合孔に嵌合させる。
【発明の効果】
【００１１】
本発明によれば、次のような効果を奏することができる。
(１)請求項１記載の発明によると、仕切りパネルは、その下縁部において、横杆に立設された唇状片に挟み込まれるため、支持強度は十分である。また、パネル支持材ごと、脚杆を嵌着する嵌合孔を取り替えることによって、水平方向におけるパネルのレイアウト変更も容易に行える。
【００１２】
(２)請求項２記載の発明によると、仕切りパネルはその下縁部が唇状片によって支持されるだけでなく、唇状片の両端部において、クランプ材によっても支持されるため、支持強度はより強固になる。
【００１３】
(３)請求項３記載の発明によると、横杆とクランプ材の連結が簡易になるため、パネル支持構造の組立てが容易になる。
【００１４】
(４)請求項４記載の発明によると、鍔部材により、支持ユニットとの当接面積が広くなるため、パネル支持構造全体の支持が安定する。
【００１５】
(５)請求項５記載の発明によると、１対の半円筒状のスリーブ分割片を、脚杆の所望の位置の係合孔に突部を嵌合しながら合体させることにより、脚杆の支持ユニットに対する嵌着位置を変え、容易に垂直方向のレイアウトを変更することができる。
また、パネル支持構造全体の支持ユニット上への取付けが、スリーブ分割片を合わせて形成したスリーブの拡径フランジを、鍔部材をなす筒体の上端部を係合させて行われるため、パネル支持構造全体が、支持ユニット上で強固に支持される。
【発明を実施するための最良の形態】
【００１６】
図１は本発明の一実施形態に係る仕切りパネルの支持構造の分解斜視図である。仕切りパネルの支持装置(１)は、横杆(２)と、この横杆(２)の上面の全長にわたって立設された１対の唇状片(３)(３)とからなるパネル支持材(４)を備えている。唇状片(３)(３)の間には、対面方向を仕切るパネル(５)の下縁部(5a)が挟み込まれている。横杆(２)の両端は、クランプ材(６)を介して、上下に延びる脚杆(７)に連結されている。
【００１７】
脚杆(７)は、その外周面の一部が、１対のほぼ半円筒状のスリーブ分割片(8a)(8a)により両側方から挟み込まれ、またスリーブ分割片(8a)(8a)は、脚杆(７)を挟み込んで合体した状態で、鍔部材(９)に嵌め込まれる。
【００１８】
仕切りパネルの支持装置(１)が設けられる支持ユニット(10)は、脚体(11)により床面上に支持されて起立する複数個の支杆(12)(12)を備えている。２個の支杆(12)(12)の間には、最上部に受支板(13)、その下方に梁杆(14)がそれぞれ水平方向に支持されている。受支板(13)は、その長手方向に沿って、多数の嵌合孔(15)が３列として穿設されている。
【００１９】
脚杆(７)を挟み込んで合体したスリーブ分割片(8a)(8a)が嵌め込まれた２個の鍔部材(９)は、その状態で嵌合孔(15)に嵌着される。仕切りパネルの支持装置(１)は、仕切りパネル(５)、パネル支持材(４)、脚杆(７)、スリーブ分割片(8a)(8a)および鍔部材(９)を一体として、鍔部材(９)を嵌着する嵌合孔(15)を取り替えるだけで、容易にその水平方向の位置を変えることができる。
【００２０】
図２は、図１の要部拡大分解斜視図である。この実施形態においては、横杆(２)と１対の唇状片(３)(３)は、断面がほぼ柄杓状となるように折り曲げた１対のスチール板を互いに鏡像となるように配置し、その中間部を適宜の間隔でスポット溶接して一体にしたものである。(Ａ)はその１個のスポット溶接部である。横杆(２)は断面がほぼ角形の筒状になっているため、その開口した端部に、クランプ部材(６)のこれと対向する側に設けた凸部(6a)を差込んで連結する。横杆(２)は少なくとも両端部に凹部（図示略）が形成されていれば、その凹部に凸部(6a)を嵌合して、クランプ部材(６)と連結することができる。
【００２１】
横杆(２)は、ねじ(16)によって、挿入された凸部(6a)に締結されることによりクランプ材(６)に固着される。クランプ材(６)は、ねじ(17)によって脚杆(７)の上端に固着される。クランプ材(６)は、上部に嵌合部(6b)を有し、この嵌合部(6b)に、仕切りパネル(５)の下縁部(5a)を挟み込んだ１対の唇状片(３)(３)の端部(3a)(3a)が嵌めつけられ、ねじ(18)によって、これらクランプ材の嵌合部(6b)、唇状片(３)(３)の端部(3a)(3a)および仕切りパネル(５)の下縁部(5a)がともに連結される。
【００２２】
この実施形態によれば、仕切りパネル(５)は、下縁部の全長にわたって唇状片(３)(３)に挟みつけられているため、支持強度は十分であるが、唇状片(３)(３)の両端部(3a)(3a)において、さらに外側からクランプ材(６)の嵌合部(6b)によっても支持されているため、支持強度は万全である。
【００２３】
脚杆(７)の外周面には、その長手方向に複数の係合孔(19)が所要の間隔をもって穿設されている。各スリーブ分割片(8a)の内周面には、係合孔(19)に係合可能な上下に合計２個の突部(8b)(8b)が設けられている。この凸部(8b)(8b)はそれぞれ、連続して並ぶ係合孔(19)(19)と係合することができる。なお、凸部(8b)(8b)は、いずれか一方のスリーブ分割片(8a)に設けるだけでも、十分にその役割を果たすことができる。
【００２４】
各スリーブ分割片(8a)の上端部は、外側に折り返された拡径フランジ(8c)を備えている。拡径フランジ(8c)は、スリーブ分割片(8a)がその突起(8b)を係合孔(19)に係合させて、脚杆(７)と密着しているときには、脚杆(７)が貫通される鍔部材(９)の環状上端部(9a)に係合可能となっている。
【００２５】
図３は、図１に示す仕切りパネルの支持構造の支持ユニットへの取付部を示す側面図である。スリーブ分割片(8a)(8a)を装着し、かつスリーブ分割片(8a)(8a)とともに鍔部材(９)に装着した脚杆(７)は、鍔部材(９)を介して受支板(13)の嵌合孔(15)に嵌着されている。鍔部材(９)は、下端部が縮径段部(9b)となっており、縮径段部(9b)との境界にある顎部(9c)が受支板(13)に当接している。
【００２６】
脚杆(７)を挟み込むスリーブ分割片(8a)(8a)の突起を装着する係合孔(19)を変えれば、脚杆(７)上に支持されている仕切りパネルは、容易にその垂直方向の位置を変えることができる。スリーブ分割片(8a)(8a)は、その拡径フランジ(8c)が、鍔部材(９)の環状上端部(9a)と係合しているため、鍔部材(９)は、スリーブ分割片(8a)(8a)が合体して形成されるスリーブ(８)に対して強固に外嵌される。
したがって、脚杆(７)は、スリーブ(８)を介して、鍔部材(９)に強固に嵌め込まれる。また、脚杆(７)は、外嵌された鍔部材(９)の顎部(9c)が、その径の大きさによって広い面積で受支板(13)と当接するため、受支板(13)上で安定に支持される。
【００２７】
図４は、本発明の仕切りパネルの支持構造を備えたワークステーションの外観斜視図である。ワークステーション(20)の支持ユニット(10)においては、すでに説明したようにして、対面仕切りパネル(21)が受支板(13)上に支持されている。また、側面仕切りパネル(22)およびテーブル(23)(24)およびがそれぞれ、接床用脚杆(22a)(23a)(24a)と、すでに述べたようにして受支板(13)の嵌合孔(15)に嵌着された脚杆(側面仕切りパネル(22)の脚杆(22b)のみを示す)とによって備え付けられている。接床脚(22a)(23a)(24a)は、脚の長さを自由に調節できるようになっている。
【００２８】
このワークステーション(20)においては、対面仕切りパネル(21)および側面仕切りパネル(22)ともに、脚杆(７)(22b)を嵌合する嵌合孔(15)を取り替えることにより水平方向におけるレイアウト変更を簡単に行うことができる。また、脚杆(７)(22b)に対するスリーブ(８)の取付け位置を変え、側面仕切りパネル(22)の場合は、接床用脚杆(22a)の長さも調節することにより、垂直方向のレイアウト変更を容易に行うことができる。
【図面の簡単な説明】
【００２９】
【図１】本発明の一実施形態に係る仕切りパネルの支持構造の分解斜視図である。
【図２】図１の要部拡大分解斜視図である。
【図３】図１に示す仕切りパネルの支持構造の支持ユニットへの取付部を示す側面図である。
【図４】本発明に係る仕切りパネルの支持構造を備えたワークステーションの外観斜視図である。
【符号の説明】
【００３０】
(１)仕切りパネルの支持装置
(２)横杆
(３)唇状片
(４)パネル支持材
(５)パネル
(5a)パネルの下縁部
(６)クランプ材
(6a)凸部
(6b)嵌合部
(７)脚杆
(８)スリーブ
(8a)スリーブ分割片
(8b)突部
(8c)拡径フランジ
(９)鍔部材
(9a)環状上端部
(9b)縮径段部
(9c)鍔部
(10)支持ユニット
(11)脚体
(12)支杆
(13)受支板
(14)梁杆
(15)嵌合孔
(16)(17)(18)ねじ
(20)ワークステーション
(21)対面仕切りパネル
(22)側面仕切りパネル
(22)(23)テーブル
(22a)(23a)(24a)接床用脚杆
(22b)脚杆
【図１】
2005076316.tif 000003
【図２】
2005076316.tif 000004
【図３】
2005076316.tif 000005
【図４】
2005076316.tif 000006